(57)【特許請求の範囲】
【請求項１】
略椀状のヘッド部と、前記ヘッド部の内側の耳介装着部と、前記耳介装着部内の略中央部に略直線状に配設された複数の発光部と、前記耳介装着部内に前記発光部の配設方向を軸として略対称位置に配設された複数の受光部と、を備え、前記発光部を所定の間隔で順次発光させ、前記耳介装着部内の中心部に突設された第１固定部と、前記ヘッド部の前記耳介装着部側の縁部に突設された第２固定部と、を備えたことを特徴とする個人識別装置。
【請求項２】
前記ヘッド部と前記ヘッド部に近接された耳介の間に介在する頭髪を除去するための頭髪除去手段を備えていることを特徴とする請求項１記載の個人識別装置。
【請求項３】
前記各発光部の前記耳介装着部の開口面からの最短距離が異なっていることを特徴とする請求項１または２記載の個人識別装置。
【発明の詳細な説明】
【０００１】
【発明の属する技術分野】
本発明は、身体の一部分、特に耳介に光を照射してその反射光を計測することにより個人を識別する個人識別装置に関するものである。
【０００２】
【従来の技術】
個人識別技術は、情報化社会の進展にともなって情報通信分野、セキュリティシステム分野、金融業界等において不可欠な技術となっており、識別の信頼性や識別対象者に対する利便性、安全性、操作性等の点で、その要求はますます高度化しつつある。
【０００３】
現在日常生活において汎用されている個人識別装置は、鍵やＩＤカード等何らかの識別用ツール、またはパスワードや暗唱番号等の識別用記憶情報により個人を識別するものである。しかしながら、このような個人識別装置は、識別用ツール又は識別用記憶情報の紛失や忘却、及び複製や盗用といった危険性を伴っている。したがって、より高度な個人識別システムを開発するためには、識別用ツール又は識別用記憶情報に比べて、より個人に固有でかつ個人と常に一体であるような手段を用いることが必要となっている。
【０００４】
このような観点から、次世代の個人識別システムとして、人間の生体情報を画像化又は数値化して利用する方法が注目されている。特に、個人による差が著しく、かつ工学的に観察や計測が容易である等の点から、生体情報として顔面形状、眼底の網膜パターン、指紋等の身体の一部分を用いることが検討されている。これらの生体情報の中で、指紋を用いる個人識別装置について以下に説明する。
【０００５】
図７は指紋の形状により個人を識別する従来の個人識別装置（従来例１）の模式図である。図７において、１７は光源、１８はプリズム、１８ａはプリズム１８の入射面、１８ｂはプリズム１８の出射面、１８ｃはプリズム１８の接触面、１９ａはレンズ、１９ｂは撮像面、１９はレンズ１９ａと撮像面１９ｂを備えた観測器、２０はデータ処理部である。
【０００６】
ＬＥＤ等の光源１７から照射された光は、入射面１８ａよりプリズム１８に入射し、指と接触している接触面１８ｃで指紋の形状に応じた特定の明暗パターンに変換された後、出射面１８ｂを通過してレンズ１９ａにより撮像面１９ｂに結像される。この方式よれば、指紋の接触していない部分では接触面１８ｃで光が全反射して観測器１９に全て入射し、指紋の接触している部分では接触面１８ｃで光が散乱して観測器１９へ入射する光量が減少することにより、観測器１９にコントラストの高い指紋画像を取り込むことができる。
【０００７】
観測器１９に取り込まれた指紋画像は、データ処理部２０において予め登録された指紋データとパターンの比較が行われ、一定以上の相関性がある場合には、取り込んだ指紋画像を持つ人物と、登録された指紋データの人物とが同一であると認識される。
【０００８】
一方、指紋に代わって耳介を用いて個人を識別する方法も検討されている。耳介は医学的には形状や大きさ等の個人差の著しいことが知られており、ａ）経年変化や化粧等による変化が少ない、ｂ）耳介は直観的に個人を推定できない部分であるため、個人のプライバシーを保護しやすい、ｃ）表情が変化する顔面形状を用いる個人識別方法に比べると、識別の際のアルゴリズムを単純化することができる、等のメリットがある。このような耳介を用いる個人識別装置の従来例を次に説明する。
【０００９】
図８は耳介の形状により個人を識別する従来の個人識別装置（従来例２）の模式図である。図８において、９は登録部、１０は比較判定部、１２は耳介、２１は光源、２２は観測器、２２ａは撮影レンズ、２２ｂはＣＣＤ撮像素子、２３は画像情報処理部である。
【００１０】
識別対象者が自身の耳介１２が撮影レンズ２２ａの撮影範囲内となるように位置すると、光源２１により耳介１２に光が照射される。この後、撮影レンズ２２ａを介して非接触でＣＣＤ撮像素子２２ｂに耳介１２の形状が取り込まれる。取り込まれた耳介１２の形状は、画像情報処理部２３において所定の画像情報に加工された後、比較判定部１０において予め登録部９に登録されている耳介データと比較され、両者が一定以上の相関性を有する場合には、識別対象者と登録された耳介データの個人とが同一であると認識される。
【００１１】
次に、図９を用いて、第２従来例とは異なる構成を有する耳介の形状による個人識別装置を説明する。
【００１２】
図９は耳介の形状により個人を識別する個人識別装置（従来例３）の模式図である。図９において、２４は光源、２５はＣＣＤ等のライン状画像検出器、２６は接圧プレート、２７はライン状画像検出器２５の走査量を検出するリニアエンコーダ装置である。また、登録部９、比較判定部１０、耳介１２は第２従来例と同様のものである。図９に示した接圧プレート２６は、光ファイバを耳介を接触させる接触面に対して垂直方向に複数束ねた構造を有している。
【００１３】
この接圧プレート２６の接触面に耳介を接圧させ、光源２４により耳介１２を照らした状態で、接圧プレート２６の接触面とは反対側の面に近設されたライン状画像検出器２５を走査することによって、耳介１２の形状を接圧プレート２６の接触面における２次元的な光強度分布として計測する。この後、第２従来例と同様に、比較判定部１０において登録部９に予め登録されている耳介データと計測された耳介の形状が比較され、両者が一定以上の相関性を有する場合には、識別対象者と登録された耳介データの個人とが同一であると認識される。
【００１４】
【発明が解決しようとする課題】
しかしながら、上記従来の個人識別装置は以下のような課題を有していた。
【００１５】
１）第１従来例の指紋を用いる個人識別装置は、比較的短時間でかつ識別対象者が簡便に行うことができるが、指紋データを登録するために指紋押印が必要であり、識別対象者に心理的な抵抗感、不快感を与え、苦痛を感じることも多い。
【００１６】
２）第２従来例の耳介を用いる個人識別装置は、非接触であるためＣＣＤ撮像素子内に取り込まれる耳介の位置が不安定で、識別対象者が耳介の位置決めをするための時間が長くなったり、また取り込まれる耳介形状が安定せず、登録されている耳介データとの照合における信頼性及び再現性に欠ける。
【００１７】
３）第３従来例の耳介を用いる個人識別装置及び第１従来例の個人識別装置は、接触式であるため耳介や指紋を接触させる際の荷重のかけかたによって、得られる耳介形状や指紋形状のパターンが変動し、形状を読み取る際の再現性に欠ける。また、耳介や指紋を接触させる接触面上の汚れが形状の読み取り誤差を発生させるため、煩雑に接触面をクリーニングする必要があり、メンテンナンスの面で費用や時間を要する。
【００１８】
４）第１従来例〜第３従来例の個人識別装置は、いずれも指紋又は耳介の形状全体を画像情報に処理してから登録されたデータと比較するため、画像情報に処理する際のアルゴリズムが複雑で、処理時間が長くなったり、処理の過程における画像の細分化に伴う誤差の発生で指紋や耳介の検出精度が低下する。
【００１９】
本発明は上記従来の課題を解決するものであり、耳介の形状を非接触でかつ再現性よく検出できるとともに、識別精度及び識別結果の信頼性に優れ、識別対象者に対する心理的負担が少なく、小型化が可能な個人識別装置の提供を目的とする。
【００２０】
【課題を解決するための手段】
上記課題を解決するために本発明は、略椀状のヘッド部と、ヘッド部の内側の耳介装着部と、耳介装着部内の略中央部に略直線状に配設された複数の発光部と、耳介装着部内に発光部の配設方向を軸として略対称位置に配設された複数の受光部と、を備え、発光部を所定の間隔で順次発光させる構成よりなる。
【００２１】
この構成により、発光部を一定の間隔で順次発光させて、ヘッド部に近接された耳介により反射される反射光を受光部に取り込むことにより、耳介の形状をポイント的に捉え、かつ複数の受光部に入射した光の各受光部毎の時系列的な信号パターンとして認識することが可能となり、耳介の形状全体を２次元的又は３次元的な画像として処理する従来の個人識別装置に比べて、耳介の特徴を細部の形状に基づいてより直接的に、かつより高い検出精度で捉えることができる。
【００２２】
また、計測された各受光部における時系列的な信号パターンと、登録されている信号パターンを直接比較することができるため、比較判別を簡便かつ高い精度で行うことが可能となり、識別精度及び識別結果の信頼性を向上させることができるとともに、その処理速度が早くなるため短時間で識別を行うことが可能となる。
【００２３】
また、発光部としてＬＥＤ等を、受光部としてフォトトランジスタ等を用いて構成することができるため、従来のようなレンズとＣＣＤ撮像素子を用いる個人識別装置に比べてヘッド部の小型化が可能になるとともに、操作性を向上させることができる。
【００２４】
また、耳介全体をヘッド部に強く接圧させる必要がないとともに、指紋押捺等のような識別対象者に不快感を与える行為を伴わないため、識別対象者における心理的な負担を軽減することができる。
【００２５】
【発明の実施の形態】
本発明の請求項１に記載の発明は、略椀状のヘッド部と、ヘッド部の内側の耳介装着部と、耳介装着部内の略中央部に略直線状に配設された複数の発光部と、耳介装着部内に発光部の配設方向を軸として略対称位置に配設された複数の受光部と、を備え、発光部を所定の間隔で順次発光させ、前記耳介装着部内の中心部に突設された第１固定部と、前記ヘッド部の前記耳介装着部側の縁部に突設された第２固定部と、を備えることとしたものであり、耳介の形状を非接触でかつ再現性よく短時間で検出できるとともに、識別精度及び識別結果の信頼性を高め、識別対象者に対する心理的負担を軽減し、かつヘッド部の小型化が可能となり、さらに、第１固定部と第２固定部によって耳介と耳介装着部内の発光部及び受光部との位置関係を固定することが可能になるという作用を有する。
【００２６】
本発明の請求項２に記載の発明は、請求項１に記載の発明において、前記ヘッド部と前記ヘッド部に近接された耳介の間に介在する頭髪を除去するための頭髪除去手段を備えていることとしたものであり、発光部及び受光部と耳介の間で光の遮る頭髪を除去できることで、耳介の形状認識における再現性を高め、かつ識別対象者の利便性を向上させることができる。
【００２７】
本発明の請求項３に記載の発明は、請求項１乃至２の内のいずれか１に記載の発明において、前記各発光部の前記耳介装着部の開口面からの最短距離が異なっていることとしたものであり、耳介の形状を強調した信号パターンを得られることから、識別対象者の耳介形状に応じた信号パターンの差別化をより高精度で行うことができるという作用を有する。
【００２８】
本発明の請求項４に記載の発明は、請求項１乃至３の内のいずれか１に記載の発明において、各発光部の耳介装着部の開口面からの最短距離が異なっていることとしたものであり、耳介の形状を強調した信号パターンを得られることから、識別対象者の耳介形状に応じた信号パターンの差別化をより高精度で行うことができるという作用を有する。
【００２９】
以下に、本発明の実施の形態の具体例を図面を参照しながら説明する。
（実施の形態１）
図１は本発明の第１実施の形態における個人識別装置を示すものであり、図１（ａ）は本発明の第１実施の形態における個人識別装置のヘッド部の断面図、図１（ｂ）は本発明の第１実施の形態における個人識別装置の平面図である。
【００３０】
図１（ａ），（ｂ）において、１はヘッド部、２はヘッド部１の縁部、３は耳介装着部、４は発光部、５は受光部、６は第１固定部、７は第２固定部、８は信号処理部、１３は外耳孔であり、登録部９、比較判定部１０、耳介１２は従来例と同様のものであるので、同一の符号を付して説明を省略する。
【００３１】
図１（ａ），（ｂ）に示したように、本実施の形態における個人識別装置は、略椀状のヘッド部１と、ヘッド部１の内側の耳介装着部３と、耳介装着部３内の略中央部に略直線状に配設された複数の発光部４と、耳介装着部３内に発光部４の配設方向を軸として略対称位置に配設された複数の受光部５と、耳介装着部３内の中心部に形成された第１固定部６と、ヘッド部１の耳介装着部３側の縁部２に形成された第２固定部７と、を備えている。
【００３２】
また、信号処理部８は後述するように、発光部４を所定の間隔で順次発光させた際に、耳介１２で反射され受光部５に入射した光の強度を、各受光部５における時系列的な信号パターンに変換するものである。尚、図１（ｂ）に示したＬ１〜Ｌ４は各発光部４の位置を、またＳ１〜Ｓ１０は各受光部５の位置をそれぞれ示している。
【００３３】
以下に、本実施の形態における個人識別装置の使用方法を図１（ａ），（ｂ）を用いて説明する。
【００３４】
識別対象者は、自身の耳介１２全体にヘッド部１の耳介装着部３が若干かぶさるように近接させる。この時、耳介装着部３内に形成された第１固定部６が、耳介１２の外耳孔１３に挿入されることによって、耳介装着部３の中心と耳介の外耳孔１３とが位置決めされる。さらに、ヘッド部１の縁部２に形成された第２固定部７が耳介１２の耳輪に軽く押し当てられることによって、ヘッド部１は第１固定部６を中心とする回転運動ができなくなり、耳介装着部３内の発光部４及び受光部５に対する耳介１２の位置が固定された状態となる。
【００３５】
この状態で発光部駆動手段（図示せず）により、耳介装着部３内のＬ１〜Ｌ４の各位置に配設された発光部４を一定の間隔で、かつ一定の発光時間で、順次発光させる。発光部４から照射される光は耳介１２の表面でその形状に応じて乱反射し、反射光の一部は耳介装着部３内に配設された受光部５に入射する。
【００３６】
受光部５に入射した光は光電変換された後、信号処理部８において各受光部５毎の時系列的な信号パターンとして処理される。その後、信号処理部８から出力される信号パターンは、比較判定部１０において予め登録部９に登録されている耳介の信号パターンと比較され、両方の信号パターンの間に一定以上の相関性が認められる場合には、識別対象者を登録してある人物と同一であると認識する。
【００３７】
次に、信号処理部８において得られる耳介の形状に応じた信号パターンについて、図２を用いてより詳細に説明する。
【００３８】
図２（ａ）は発光部の発光順序を示すタイミング図、図２（ｂ）は各受光部における受光強度の変化を示すタイミング図である。図２（ａ）において、Ｌ１，Ｌ２，Ｌ３，Ｌ４は図１（ｂ）に示した発光部４の各々の位置に対応しており、また図２（ｂ）においてＳ１，Ｓ２，Ｓ３，Ｓ４，Ｓ５，Ｓ６，Ｓ７，Ｓ８，Ｓ９，Ｓ１０は図１（ｂ）に示した受光部５の各々の位置に対応している。
【００３９】
図２（ａ）に示したようにＬ１〜Ｌ４に位置する各発光部４を一定の間隔で、かつ一定の発光時間で、順次発光させると、受光部５における反射光の受光強度は、いずれの発光部４が発光しているかによって、また受光部５が配設されている位置に応じて、図２（ｂ）に示したようにその経時的な変化が異なる。このＳ１〜Ｓ１０に位置する各受光部５における受光強度の時系列的な信号パターンは、識別対象者の耳介の形状をポイント的に反映したものであり、全ての信号パターンを総合して個人の識別情報として利用することができる。
【００４０】
このように本実施の形態における個人識別装置では、耳介の形状全体を２次元的又は３次元的な画像として処理する従来の個人識別装置に比べて、耳介の特徴を細部の形状に基づいてより直接的に、かつより高い検出精度で捉えることができる。
【００４１】
また、従来のように耳介形状全体を画像処理する場合には、登録されている耳介データとの比較の際に、画像を段階的に細分化して違いを判別する必要があり、比較判別におけるアルゴリズムが複雑になったり、細分化により耳介の細部における判別精度が低下する可能性があるが、本実施の形態によれば計測された各受光部における時系列的な信号パターンと、登録されている信号パターンを直接比較することができるため、比較判別を簡便かつ高い精度で行うことが可能となり、識別精度及び識別結果の信頼性を向上させることができるとともに、その処理速度も高めることができる。
【００４２】
また、レンズとＣＣＤ撮像素子等を用いる従来の個人識別装置に比べて、本実施の形態で示したヘッド部は小型化が可能である。
【００４３】
さらに、耳介全体を強く接圧させる必要がないとともに、指紋押捺等のような識別対象者に不快感を与える行為を伴わないため、識別対象者における心理的な負担を軽減することができる。
【００４４】
以上のように本実施の形態によれば、耳介の形状を非接触でかつ再現性よく短時間で検出できるとともに、識別精度及び識別結果の信頼性に優れ、識別対象者に対する心理的影響が少なく、小型化が可能な個人識別装置を提供することが可能となる。
【００４５】
尚、本実施の形態では耳介装着部に複数の発光部を配設したものを示したが、例えば一つの発光部を本実施の形態で示した発光部の配設方向に移動可能とし、所定の間隔毎に発光部を移動させては発光させる動作を繰り返すことでも、本実施の形態と同様な作用が得られると考えられる。
【００４６】
（実施の形態２）
図３は本発明の第２実施の形態における個人識別装置のヘッド部の斜視図、図４（ａ）及び図４（ｂ）は本発明の第２実施の形態における個人識別装置のヘッド部の平面図である。
【００４７】
図３及び図４（ａ），（ｂ）において、１４ａは回転軸、１４ｂは頭髪除去用アーム、１５は頭髪除去用へら部であり、ヘッド部１、縁部２、耳介装着部３、発光部４、受光部５、第１固定部６、第２固定部７は第１実施の形態と同様のものであるので、同一の符号を付して説明を省略する。
【００４８】
本実施の形態における個人識別装置が第１実施の形態と異なっているのは、頭髪除去手段として、ヘッド部１の耳介装着部３内に回転自在に配設された２つの回転軸１４ａと、回転軸１４ａに突設された略くの字状の頭髪除去用アーム１４ｂと、ヘッド部１の上部に形成された略板状の頭髪除去用へら部１５と、を備えていることである。
【００４９】
以下に、本実施の形態における個人識別装置の使用方法について図４（ａ），（ｂ）を用いて説明する。
【００５０】
まず、識別対象者の耳介のほぼ全体が頭髪によって隠れている場合、識別対象者はヘッド部１の縁部２が頭髪に触れる程度まで、ヘッド部１を耳介に近接させる。この状態から識別動作が開始されると、耳介装着部３内に配設された２つの回転軸１４ａが回転し、回転とともに略くの字で回転軸１４ａに複数突設された頭髪除去用アーム１４ｂが、観音開き状に作動し、耳介を覆っている頭髪を縁部２の両側に排除する。これによって、耳介装着部３内の発光部４及び受光部５と耳介との間で光を遮る頭髪を除去することができる。この後の耳介の識別動作は、第１実施の形態と同様であり、識別動作が終了したところで、回転軸１４ａが前述とは逆の方向に回転し、頭髪除去用アーム１４ｂが再び耳介装着部３内に収納された状態となる。
【００５１】
また、識別対象者の耳介全体が頭髪によって隠れてはいないが、その一部（特に上部）が頭髪によって隠れている場合には、識別対象者はヘッド部１を耳介の下方から近接させることによって、ヘッド部１の上部に形成された略板状の頭髪除去用へら部１５が頭髪をかきあげ、前述と同様に発光部４及び受光部５と耳介との間で光を遮る頭髪を除去することができる。
【００５２】
以上のように本実施の形態によれば、第１実施の形態と同様な作用が得られるとともに、発光部及び受光部と耳介の間で光の遮る頭髪を除去できることで、耳介の形状認識における再現性を高め、かつ識別対象者の利便性を向上させることができる。
【００５３】
尚、本実施の形態で示した頭髪除去手段の頭髪除去用アームの形状や数については、特に図３及び図４（ａ），（ｂ）に示したものに限定されるものではない。
【００５４】
（実施の形態３）
図５は本発明の第３実施の形態における個人識別装置のヘッド部の断面図、図６（ａ）は発光部の発光順序を示すタイミング図、図６（ｂ）は各受光部における受光強度の変化を示すタイミング図である。
【００５５】
図５において、１６は開口面であり、ヘッド部１、縁部２、耳介装着部３、発光部４、受光部５、第１固定部６、第２固定部７は第１実施の形態と同様のものであるので、同一の符号を付して説明を省略する。
【００５６】
本実施の形態における個人識別装置が第１実施の形態と異なっているのは、各発光部４の耳介装着部３の開口面１６からの最短距離（開口面１６の法線方向における開口面１６と発光部４との距離）ｋ１，ｋ２，ｋ３，ｋ４が異なっていることである。
【００５７】
このように各発光部４を配設することによって、各発光部４の耳介装着部３の開口面１６からの最短距離が同じである場合に比べて、各発光部４を発光させた際に受光部５に入射する反射光の強度に重み付けをすることが可能となり、識別対象者に特徴的な耳介の形状を強調した信号パターンを得ることができる。特に、耳介の形状がより複雑な耳介の上半分へ主に照射するＳ２に位置した発光部４を、図５に示したように開口面１６により近づけて配設することによって、図６（ａ）及び図６（ｂ）に示したように得られる信号パターンの差別化をより高精度で行うことが可能となる。
【００５８】
以上のように本実施の形態によれば、第１実施の形態と同様な作用が得られるとともに、耳介の形状を強調した信号パターンを得られることから、識別対象者の耳介形状に応じた信号パターンの差別化をより高精度で行うことができる。
【００５９】
尚、本実施の形態においては、ヘッド部に第２実施の形態で示したような頭髪除去手段を備えてもよい。
【００６０】
【発明の効果】
以上のように本発明によれば、耳介の形状全体を２次元的又は３次元的な画像として処理する従来の個人識別装置に比べて、耳介の特徴を細部の形状に基づいてより直接的に識別するため、より高い検出精度で捉えることが可能となり、耳介の形状を認識する際の再現性を高めることができるという優れた効果が得られる。
【００６１】
また、計測された各受光部における時系列的な信号パターンと、登録されている信号パターンを直接比較することができるため、比較判定部の構成を簡略化することができるとともに、識別に要する時間を短縮し、かつ識別精度及び識別結果に対する信頼性を向上させることができるという優れた効果が得られる。
【００６２】
また、発光部としてＬＥＤ等を、受光部としてフォトトランジスタ等を用いて構成することができるため、従来のようなレンズとＣＣＤ撮像素子を用いる個人識別装置に比べてヘッド部の小型化が可能となるとともに、ヘッド部を走査する識別対象者の利便性を向上させることができるという優れた効果が得られる。
【００６３】
また、耳介全体をヘッド部に強く接圧させる必要がないとともに、指紋押捺等のような識別対象者に不快感を与える行為を伴わないため、識別対象者における心理的な負担を軽減することができるという優れた効果が得られる。
【００６４】
また、第１固定部と第２固定部によって耳介と耳介装着部内の発光部及び受光部との位置関係を固定することが可能になることによって、耳介の形状を認識する際の再現性を高めることができるという優れた効果が得られる。
【００６５】
また、発光部及び受光部と耳介の間で光の遮る頭髪を除去できることで、耳介の形状認識における再現性を高め、かつ識別対象者の利便性を向上させることができるという優れた効果が得られる。
【００６６】
また、耳介の形状を強調した信号パターンを得られることによって、識別対象者の耳介形状に応じた信号パターンの差別化をより高精度で行うことができるという優れた効果が得られる。
【図面の簡単な説明】
【図１】（ａ）本発明の第１実施の形態における個人識別装置のヘッド部の断面図
（ｂ）本発明の第１実施の形態における個人識別装置の平面図
【図２】（ａ）発光部の発光順序を示すタイミング図
（ｂ）各受光部における受光強度の変化を示すタイミング図
【図３】本発明の第２実施の形態における個人識別装置のヘッド部の斜視図
【図４】（ａ）本発明の第２実施の形態における個人識別装置のヘッド部の平面図
（ｂ）本発明の第２実施の形態における個人識別装置のヘッド部の平面図
【図５】本発明の第３実施の形態における個人識別装置のヘッド部の断面図
【図６】（ａ）発光部の発光順序を示すタイミング図
（ｂ）各受光部における受光強度の変化を示すタイミング図
【図７】指紋の形状により個人を識別する従来の個人識別装置（従来例１）の模式図
【図８】耳介の形状により個人を識別する従来の個人識別装置（従来例２）の模式図
【図９】耳介の形状により個人を識別する個人識別装置（従来例３）の模式図
【符号の説明】
１  ヘッド部
２  縁部
３  耳介装着部
４  発光部
５  受光部
６  第１固定部
７  第２固定部
８  信号処理部
９  登録部
１０  比較判定部
１２  耳介
１３  外耳孔
１４ａ  回転軸
１４ｂ  頭髪除去用アーム
１５  頭髪除去用へら部
１６  開口面
１７，２１，２４  光源
１８  プリズム
１８ａ  入射面
１８ｂ  出射面
１８ｃ  接触面
１９ａ  レンズ
１９ｂ  撮像面
１９，２２  観測器
２０  データ処理部
２２ａ  撮影レンズ
２２ｂ  ＣＣＤ撮像素子
２３  画像情報処理部
２５  ライン状画像検出器
２６  接圧プレート
２７  リニアエンコーダ装置
【図１】
0003861339.tif 000002
【図２】
0003861339.tif 000003
【図３】
0003861339.tif 000004
【図４】
0003861339.tif 000005
【図５】
0003861339.tif 000006
【図６】
0003861339.tif 000007
【図７】
0003861339.tif 000008
【図８】
0003861339.tif 000009
【図９】
0003861339.tif 000010